(57)【要約】【課題】アナログテレビジョン放送とディジタルテレビジョン放送との両方を受信することができる受信機において、復調部における全体の処理量を低減させ、復調部の小型化および製造費用の低減を実現することができる共用復調処理プログラム等を提供する。【解決手段】チューナ部１２を介して取出された受信チャンネルの信号Ｓｃｈをディジタル信号Ｓｄへ変換するＡ／Ｄ変換部１８と、受信チャンネルの切換時に信号Ｓｃｈに基づき、テレビジョン信号がディジタルテレビジョン放送の信号であるか又はアナログテレビジョン放送の信号であるかを検出する（検出結果Ｓｔ）放送種別検出部２０とを共用復調器３０に設けておく。ディジタル信号Ｓｄに、検出結果Ｓｔに応じてディジタルテレビジョン放送用の復調処理６０又はアナログテレビジョン放送用の復調処理９０を行う共用復調処理プログラムを共用復調器３０のコンピュータに実行させる。【選択図】  図１
2005159682.tif 000002
【特許請求の範囲】
【請求項１】
ディジタルテレビジョン放送及びアナログテレビジョン放送の復調を行なうための共用復調器の共用復調処理プログラムであって、該共用復調器は、
受信したテレビジョン信号の中からチューナ部を介して取出された受信チャンネルの信号をディジタル信号へ変換するＡ／Ｄ変換部と、
前記チューナ部と接続され、受信チャンネルの切換時に該チューナ部から入力した前記受信チャンネルの信号に基づき、前記テレビジョン信号がディジタルテレビジョン放送の信号であるか又はアナログテレビジョン放送の信号であるかを検出する放送種別検出部とを備え、該共用復調器のコンピュータを、
前記Ａ／Ｄ変換部から入力したディジタル信号に、前記放送種別検出部により検出された結果に応じてディジタルテレビジョン放送用の復調処理又はアナログテレビジョン放送用の復調処理を行う共用復調処理手段として機能させるための共用復調処理プログラム。
【請求項２】
請求項１記載の共用復調処理プログラムにおいて、前記放送種別検出部は、
入力した前記受信チャンネルの信号に直交周波数分割多重方式の復調を行なう直交周波数分割多重方式復調部と、
前記直交周波数分割多重方式復調部により復調された信号から直交周波数分割多重方式副搬送波信号を検出する副搬送波信号検出部と、
入力した前記受信チャンネルの信号にアナログテレビジョン放送用の映像搬送波信号または音声搬送波信号が含まれているか否かを検出する映像・音声搬送波信号検出部と、
前記副搬送波信号検出部により直交周波数分割多重方式の副搬送波信号が検出された場合、ディジタルテレビジョン放送の信号であることを示す検出結果を出力し、前記映像・音声搬送波信号検出部によりアナログテレビジョン放送用の映像搬送波信号または音声搬送波信号が検出された場合、アナログテレビジョン放送であることを示す結果を出力する判定部と
を備えたことを特徴とする共用復調処理プログラム。
【請求項３】
請求項１記載の共用復調処理プログラムにおいて、前記放送種別検出部は、
入力した前記受信チャンネルの信号から送信スペクトルを検出するスペクトル検出部と、
前記スペクトル検出部によりディジタルテレビジョン放送に使用する周波数帯域で一定の送信スペクトルが検出された場合、ディジタルテレビジョン放送の信号であることを示す検出結果を出力し、アナログテレビジョン放送に使用する映像搬送波信号のピークと音声搬送波信号のピークとが検出された場合、アナログテレビジョン放送であることを示す結果を出力する判定部と
を備えたことを特徴とする共用復調処理プログラム。
【請求項４】
請求項１ないし３のいずれに記載の共用復調処理プログラムを記録したコンピュータ読取り可能な記録媒体。
【請求項５】
ディジタルテレビジョン放送及びアナログテレビジョン放送の復調を行なう共用復調処理方法であって、
受信したテレビジョン信号の中からチューナ部を介して取出された受信チャンネルの信号をディジタル信号へ変換するＡ／Ｄ変換部から入力したディジタル信号に、該チューナ部と接続され、受信チャンネルの切換時に該チューナ部から入力した該受信チャンネルの信号に基づき、該テレビジョン信号がディジタルテレビジョン放送の信号であるか又はアナログテレビジョン放送の信号であるかを検出する放送種別検出部により検出された結果に応じてディジタルテレビジョン放送用の復調処理又はアナログテレビジョン放送用の復調処理を行うことを特徴とする共用復調処理方法。
【請求項６】
請求項５記載の共用復調処理方法において、前記放送種別検出部は、
入力した前記受信チャンネルの信号に直交周波数分割多重方式の復調を行なう直交周波数分割多重方式復調部と、
前記直交周波数分割多重方式復調部により復調された信号から直交周波数分割多重方式副搬送波信号を検出する副搬送波信号検出部と、
入力した前記受信チャンネルの信号にアナログテレビジョン放送用の映像搬送波信号または音声搬送波信号が含まれているか否かを検出する映像・音声搬送波信号検出部と、
前記副搬送波信号検出部により直交周波数分割多重方式の副搬送波信号が検出された場合、ディジタルテレビジョン放送の信号であることを示す検出結果を出力し、前記映像・音声搬送波信号検出部によりアナログテレビジョン放送用の映像搬送波信号または音声搬送波信号が検出された場合、アナログテレビジョン放送であることを示す結果を出力する判定部と
を備えたことを特徴とする共用復調処理方法。
【請求項７】
請求項５記載の共用復調処理方法において、前記放送種別検出部は、
入力した前記受信チャンネルの信号から送信スペクトルを検出するスペクトル検出部と、
前記スペクトル検出部によりディジタルテレビジョン放送に使用する周波数帯域で一定の送信スペクトルが検出された場合、ディジタルテレビジョン放送の信号であることを示す検出結果を出力し、アナログテレビジョン放送に使用する映像搬送波信号のピークと音声搬送波信号のピークとが検出された場合、アナログテレビジョン放送であることを示す結果を出力する判定部と
を備えたことを特徴とする共用復調処理方法。
【請求項８】
請求項５ないし７のいずれかに記載の共用復調処理方法の実施に使用する共用復調器。
【発明の詳細な説明】
【技術分野】
【０００１】
本発明は、ディジタルテレビジョン放送及びアナログテレビジョン放送の復調を行なうための共用復調器の共用復調処理プログラム等に関する。
【背景技術】
【０００２】
近年、アナログテレビジョン放送とディジタルテレビジョン放送との両方を受信することができる受信機の開発が行なわれている。図８は、チューナ部を共用化した従来の受信機の受信回路１１０の一部を示す。図８において、符号５は高周波信号を受信するアンテナ、１２はアンテナ５で受信した高周波信号の中から所望のチャンネル部分の信号を取出すチューナ部、１４はチューナ部１２の中で同調等を行なうチューナ、１６はチューナ１４に対しバンド切替等を行いチャンネル選局を制御する選局制御部、１１２はチューナ部１２で取出された映像と音声との中間周波信号を増幅し、映像信号を取出す映像中間周波増幅・検波部、１１４は映像中間周波増幅・検波部１１２から出力された映像信号に基づきディジタルテレビジョン用の復調を行なうディジタルテレビジョン復調部、１１５はディジタルテレビジョン復調部１１４の中で、映像中間周波増幅・検波部１１２から出力された映像信号(アナログ信号)をディジタル信号へ変換するアナログ／ディジタル（Analog/Digital : Ａ／Ｄ）変換部、１１６はＡ／Ｄ変換部１１５によりディジタル信号へ変換された情報に基づき各種の処理を行うディジタルテレビジョン用処理部、１１８はディジタルテレビジョン復調部１１４で復調された信号をアナログ信号へ変換してディジタル映像・音声信号Ｄｖａを出力するディジタル／アナログ（Digital/Analog : Ｄ／Ａ）変換部である。
【０００３】
図８において、符号１２０はチューナ部１２で取出された映像と音声との中間周波信号に基づきアナログテレビジョン用の復調を行なうアナログテレビジョン復調部、１２１はアナログテレビジョン復調部１２０の中でチューナ部１２で取出された映像と音声との中間周波信号を増幅する映像中間周波増幅部、１２２は映像中間周波増幅部１２１で増幅された信号から映像信号を取出す映像検波部、１２３は映像検波部１２２から出力された映像信号の増幅および調整等を行なってアナログ映像信号Ａｖを出力する映像受信処理部、１２４は映像中間周波増幅部１２１で増幅された信号から音声で周波数変調された４．５ＭＨｚの中間周波信号を取出す４．５ＭＨｚ検波部、１２５は４．５ＭＨｚ検波部１２４から出力された４．５ＭＨｚの中間周波信号の増幅およびＦＭ（Frequency Modulation : 周波数変調）検波等を行なってアナログ音声信号Ａａを出力する音声受信処理部である。
【０００４】
図８に示されるように、従来の受信機の受信回路１１０ではチューナ部１２を共用化しているが、復調処理ではディジタルテレビジョン復調部１１４とアナログテレビジョン復調部１２０との２つの復調部を有する必要があった。特許文献１にはデジタル・アナログ共用チューナ１００等が記載されているが、復調処理ではデジタル復調回路１７とアナログ復調回路１３との２つの復調回路を有している。
【０００５】
【特許文献１】特開２００３−２０４２７４
【発明の開示】
【発明が解決しようとする課題】
【０００６】
上述のように、アナログテレビジョン放送とディジタルテレビジョン放送との両方を受信することができる従来の受信機ではチューナ部の共用化を行なっていた。しかし、復調処理ではディジタルテレビジョン用の復調部とアナログテレビジョン用の復調部との２つの復調部を有する必要があった。このため、復調部における全体の処理量が増大すると共に、復調部が大型化し製造費用が増加するという問題があった。
【０００７】
そこで、本発明の目的は、上記問題を解決するためになされたものであり、アナログテレビジョン放送とディジタルテレビジョン放送との両方を受信することができる受信機において、復調部における全体の処理量を低減させ、復調部の小型化および製造費用の低減を実現することができる共用復調処理プログラム等を提供することにある。
【課題を解決するための手段】
【０００８】
本発明の共用復調処理プログラムは、ディジタルテレビジョン放送及びアナログテレビジョン放送の復調を行なうための共用復調器の共用復調処理プログラムであって、該共用復調器は、受信したテレビジョン信号の中からチューナ部を介して取出された受信チャンネルの信号をディジタル信号へ変換するＡ／Ｄ変換部と、前記チューナ部と接続され、受信チャンネルの切換時に該チューナ部から入力した前記受信チャンネルの信号に基づき、前記テレビジョン信号がディジタルテレビジョン放送の信号であるか又はアナログテレビジョン放送の信号であるかを検出する放送種別検出部とを備え、該共用復調器のコンピュータを、前記Ａ／Ｄ変換部から入力したディジタル信号に、前記放送種別検出部により検出された結果に応じてディジタルテレビジョン放送用の復調処理又はアナログテレビジョン放送用の復調処理を行う共用復調処理手段として機能させるための共用復調処理プログラムである。
【０００９】
ここで、本発明の共用復調処理プログラムにおいて、前記放送種別検出部は、入力した前記受信チャンネルの信号に直交周波数分割多重方式の復調を行なう直交周波数分割多重方式復調部と、前記直交周波数分割多重方式復調部により復調された信号から直交周波数分割多重方式副搬送波信号を検出する副搬送波信号検出部と、入力した前記受信チャンネルの信号にアナログテレビジョン放送用の映像搬送波信号または音声搬送波信号が含まれているか否かを検出する映像・音声搬送波信号検出部と、前記副搬送波信号検出部により直交周波数分割多重方式の副搬送波信号が検出された場合、ディジタルテレビジョン放送の信号であることを示す検出結果を出力し、前記映像・音声搬送波信号検出部によりアナログテレビジョン放送用の映像搬送波信号または音声搬送波信号が検出された場合、アナログテレビジョン放送であることを示す結果を出力する判定部とを備えることができる。
【００１０】
ここで、本発明の共用復調処理プログラムにおいて、前記放送種別検出部は、入力した前記受信チャンネルの信号から送信スペクトルを検出するスペクトル検出部と、前記スペクトル検出部によりディジタルテレビジョン放送に使用する周波数帯域で一定の送信スペクトルが検出された場合、ディジタルテレビジョン放送の信号であることを示す検出結果を出力し、アナログテレビジョン放送に使用する映像搬送波信号のピークと音声搬送波信号のピークとが検出された場合、アナログテレビジョン放送であることを示す結果を出力する判定部とを備えることができる。
【００１１】
本発明の記録媒体は、本発明のいずれかの共用復調処理プログラムを記録したコンピュータ読取り可能な記録媒体である。
【００１２】
本発明の共用復調処理方法は、ディジタルテレビジョン放送及びアナログテレビジョン放送の復調を行なう共用復調処理方法であって、受信したテレビジョン信号の中からチューナ部を介して取出された受信チャンネルの信号をディジタル信号へ変換するＡ／Ｄ変換部から入力したディジタル信号に、該チューナ部と接続され、受信チャンネルの切換時に該チューナ部から入力した該受信チャンネルの信号に基づき、該テレビジョン信号がディジタルテレビジョン放送の信号であるか又はアナログテレビジョン放送の信号であるかを検出する放送種別検出部により検出された結果に応じてディジタルテレビジョン放送用の復調処理又はアナログテレビジョン放送用の復調処理を行うことを特徴とする。
【００１３】
ここで、本発明の共用復調処理方法において、前記放送種別検出部は、入力した前記受信チャンネルの信号に直交周波数分割多重方式の復調を行なう直交周波数分割多重方式復調部と、前記直交周波数分割多重方式復調部により復調された信号から直交周波数分割多重方式副搬送波信号を検出する副搬送波信号検出部と、入力した前記受信チャンネルの信号にアナログテレビジョン放送用の映像搬送波信号または音声搬送波信号が含まれているか否かを検出する映像・音声搬送波信号検出部と、前記副搬送波信号検出部により直交周波数分割多重方式の副搬送波信号が検出された場合、ディジタルテレビジョン放送の信号であることを示す検出結果を出力し、前記映像・音声搬送波信号検出部によりアナログテレビジョン放送用の映像搬送波信号または音声搬送波信号が検出された場合、アナログテレビジョン放送であることを示す結果を出力する判定部とを備えることができる。
【００１４】
ここで、本発明の共用復調処理方法において、前記放送種別検出部は、入力した前記受信チャンネルの信号から送信スペクトルを検出するスペクトル検出部と、前記スペクトル検出部によりディジタルテレビジョン放送に使用する周波数帯域で一定の送信スペクトルが検出された場合、ディジタルテレビジョン放送の信号であることを示す検出結果を出力し、アナログテレビジョン放送に使用する映像搬送波信号のピークと音声搬送波信号のピークとが検出された場合、アナログテレビジョン放送であることを示す結果を出力する判定部とを備えることができる。
【００１５】
本発明の共用復調器は、本発明のいずれか共用復調処理方法の実施に使用する共用復調器である。
【発明の効果】
【００１６】
アナログテレビジョン放送とディジタルテレビジョン放送との両方を受信することができる受信機の共用復調器において、受信したテレビジョン信号の中からチューナ部を介して取出された受信チャンネルの信号Ｓｃｈをディジタル信号Ｓｄへ変換するＡ／Ｄ変換部と、チューナ部と接続され、受信チャンネルの切換時にチューナ部から入力した受信チャンネルの信号Ｓｃｈに基づき、テレビジョン信号がディジタルテレビジョン放送の信号であるか又はアナログテレビジョン放送の信号であるかを検出する（検出結果Ｓｔ）放送種別検出部とを設けておく。ディジタル信号Ｓｄに、検出結果Ｓｔに応じてディジタルテレビジョン放送用の復調処理又はアナログテレビジョン放送用の復調処理を行う共用復調処理プログラムを共用復調器のコンピュータに実行させる。この結果、単一の処理部である共用復調器を用いることにより、ディジタルテレビジョン放送の場合またはアナログテレビジョン放送の場合のいずれであっても、各々に対応した処理を行うことができる。このため、従来の復調部における全体の処理量を低減させ、復調部の小型化および製造費用の低減を実現することができるという効果がある。
【発明を実施するための最良の形態】
【００１７】
以下、実施例について図面を参照して詳細に説明する。
【実施例１】
【００１８】
図１は、本発明の実施例１におけるディジタルテレビジョン放送及びアナログテレビジョン放送の復調を行なうための共用復調器３０のブロック図を示す。図１において、符号５は高周波信号（テレビジョン信号）を受信するアンテナ、１２はアンテナ５で受信した高周波信号の中から所望のチャンネル部分の中間周波信号Ｓｃｈを取出すチューナ部、１４はチューナ部１２の中で同調等を行なうチューナ、１６はチューナ１４に対しバンド切替等を行いチャンネル選局を制御する選局制御部である。図１に示されるように、共用復調器３０はチューナ部１２に接続されており、中間周波信号Ｓｃｈを入力するＡ／Ｄ変換部１８と放送種別検出部２０とを有している。Ａ／Ｄ変換部１８は、受信したテレビジョン信号の中からチューナ部１２を介して取出された受信チャンネルの中間周波信号Ｓｃｈをディジタル信号Ｓｄへ変換する。受信チャンネルの中間周波信号Ｓｃｈは所望の周波数の標本化パルスにより標本化された後、所望の段階のレベルに割当てられて量子化されディジタル信号Ｓｄとなる。ディジタル信号Ｓｄは共用復調器３０の記録部（後述）に記録される。放送種別検出部２０は、所望の受信チャンネルの切換時にチューナ部１２から入力した受信チャンネルの中間周波信号Ｓｃｈに基づき、テレビジョン信号がディジタルテレビジョン放送の信号であるか又はアナログテレビジョン放送の信号であるかを検出し、その結果を信号Ｓｔとして出力する。
【００１９】
共用復調器３０内に示された共用復調処理部（共用復調処理手段）３５は、共用復調器３０のコンピュータ（後述）により実行されるプログラムである。当該プログラムは、Ａ／Ｄ変換部１８から入力したディジタル信号Ｓｄに、放送種別検出部２０により検出された結果Ｓｔに応じてディジタルテレビジョン放送用の復調処理（ディジタルテレビジョン放送用復調処理部６０）又はアナログテレビジョン放送用の復調処理（アナログテレビジョン放送用復調処理部９０）を行う。ディジタルテレビジョン放送用復調処理部６０の出力信号ＴＳ（Transport Stream ：トランスポートストリーム。後述）は、ＭＰＥＧ２デコーダ３６に入力されて圧縮信号が伸張され、最終的に映像信号Ｄｖと音声信号Ｄａとを得ることができる。アナログテレビジョン放送用復調処理部９０の出力信号のＶ（映像）とＡ（音声）とは、Ｄ／Ａ変換部３８により変換されて各々アナログ信号Ａｖ（映像）とアナログ信号Ａａ（音声）とが出力される。上述のアンテナ５、チューナ部１２、共用復調器３０等により受信機１０が構成される。受信機１０としてはソフトウェア無線機が好適であり、ソフトウェア無線技術を利用することにより、ディジタルテレビジョン放送用復調処理部６０とアナログテレビジョン放送用復調処理部９０とを切替えて使用することができる。
【００２０】
図２は、本発明のコンピュータ・プログラム（共用復調処理プログラム）を実行する共用復調器３０のコンピュータの内部回路４０を示すブロック図である。図２で図１と同じ符号を付した箇所は同じ要素を示すため説明は省略する。図２に示されるように、放送種別検出部２０、Ａ／Ｄ変換部１８、ＣＰＵ４１、ＲＯＭ４２、ＲＡＭ４３、コントローラ４４および入力制御部４６はバス４８に接続されている。本発明の共用復調処理プログラムは、ＲＯＭ４２、ディスク４５ａまたはＣＤ−ＲＯＭ４５ｎ等の記録媒体（脱着可能な記録媒体を含む）に記録されており、ＲＯＭ４２からバス４８を介し、またはディスク４５ａ若しくはＣＤ−ＲＯＭ４５ｎ等の記録媒体からコントローラ４４を経由してバス４８を介しＲＡＭ４３へロードされる。ＣＰＵ４１がＲＡＭ４３へロードされた本発明のコンピュータ・プログラムを実行することにより、本発明の共用復調処理プログラムを実行させることができる。上述のＡ／Ｄ変換部１８により変換されたディジタル信号ＳｄはＲＡＭ４３等の記録部に記録され、本発明の共用復調処理プログラムの実行の際にＲＡＭ４３等の記録部から適宜読み出されて利用される。入力操作部４７は受信機１０に所望のデータを入力するためのテンキー等の入力装置（不図示）であり、入力操作部４７と接続された入力制御部４６は、入力操作部４７の入力制御を行なう。
【００２１】
本発明の共用復調処理プログラムは上述のようにＣＤ−ＲＯＭ４５ｎ等の記録媒体の形態でコンピュータＣＰＵ４１に供給することができ、共用復調処理プログラムを記録したＣＤ−ＲＯＭ４５ｎ等の記録媒体も同様に本発明を構成することになる。共用復調処理プログラムを記録した記録媒体としては上述された記録媒体の他に、例えばメモリ・カード、メモリ・スティック、ＤＶＤ、光ディスク、ＦＤ等を用いることができる。
【００２２】
次に、放送種別検出部２０について説明する。図３は本発明の実施例１における放送種別検出部２０ａを示すブロック図である。ディジタルテレビジョン信号では、直交周波数分割多重（Orthogonal Frequency Division Multiplexing : ＯＦＤＭ）方式の副搬送波が存在する。ＯＦＤＭ変調方式は地上波ディジタル放送に用いられるディジタル変調方式であり、分割された情報を直交関係にある複数の搬送波信号により変調して多重化する方式である。ディジタル変調は各搬送波毎に行なわれる。従ってＯＦＤＭ復調後、このＯＦＤＭの副搬送波を検出することによりディジタルテレビジョン信号であることがわかる。一方、アナログテレビジョン信号では映像搬送波信号または音声搬送波信号に映像信号等が重畳されている。従ってこれらの搬送波信号を検出することによりアナログテレビジョン放送であることがわかる。放送種別検出部２０ａは上述の搬送波信号の検出を試みることによりディジタルテレビジョン放送であるかアナログテレビジョン放送であるかを検出するものである。
【００２３】
図３において、符号２１はチューナ部１２から出力された中間周波信号Ｓｃｈを入力して、ＯＦＤＭ変調方式の復調を行なうＯＦＤＭ復調部（周波数分割多重方式復調部）である。符号２２はＯＦＤＭ復調部２１に接続された副搬送波信号検出部であり、ＯＦＤＭ復調部２１により復調された信号からＯＦＤＭ副搬送波信号を検出する。符号２４はアナログテレビジョン放送用の映像搬送波信号または音声搬送波信号を検出する映像・音声搬送波信号検出部である。符号２３は副搬送波信号検出部２２と映像・音声搬送波信号検出部２４とに接続された判定部であり、副搬送波信号検出部２２によりＯＦＤＭ変調方式の副搬送波信号が検出された場合、ディジタルテレビジョン放送の信号であることを示す検出結果を出力する。一方、映像・音声搬送波信号検出部２４により上記映像搬送波信号または音声搬送波信号が検出された場合、アナログテレビジョン放送であることを示す結果を出力する。いずれも検出結果は信号Ｓｔとして共用復調処理部３５で利用される。
【００２４】
図４は本発明の実施例１における放送種別検出部２０ｂを示すブロック図である。ディジタルテレビジョン信号は１チャンネルの周波数帯域６ＭＨｚのほとんどすべてにおいて相対レベルが一定の送信スペクトルとなっている。一方、アナログテレビジョン信号は１チャンネルの周波数帯域６ＭＨｚにおいて、低周波数帯域の映像搬送波信号と高周波数帯域の音声搬送波信号との間では、映像搬送波信号、色副搬送波信号、音声搬送波信号以外の周波数成分はレベルが小さく、これら３搬送波信号をピークとする送信スペクトルとなっている。放送種別検出部２０ｂは上述の送信スペクトルの相違によりディジタルテレビジョン放送であるかアナログテレビジョン放送であるかを検出するものである。
【００２５】
図４において、符号２５は、入力した受信チャンネルの中間周波信号Ｓｃｈから送信スペクトルを検出するスペクトル検出部、２６はスペクトル検出部２５に接続された判定部である。判定部２６は、スペクトル検出部２５によりディジタルテレビジョン放送に使用する周波数帯域で一定の送信スペクトルが検出された場合、ディジタルテレビジョン放送の信号であることを示す検出結果を出力する。一方、アナログテレビジョン放送に使用する映像搬送波信号のピークと音声搬送波信号のピークとが検出された場合、アナログテレビジョン放送であることを示す結果を出力する。いずれも検出結果は信号Ｓｔとして共用復調処理部３５で利用される。
【００２６】
次に、ディジタルテレビジョン放送用復調処理部６０について説明する。図５は、本発明の実施例１におけるディジタルテレビジョン放送用復調処理部６０を示すブロック図である。上述のようにディジタル変調方式は地上波ディジタル放送に用いられるＯＦＤＭ変調方式であるものとし、ディジタルテレビジョン放送用復調処理部６０は、ＭＰＥＧ２（Moving Picture Express Group 2）で符号化および多重化された映像・音声信号の復号を行なうものとする。図５において、符号６２はＡ／Ｄ変換部１８から出力されたディジタル信号Ｓｄの直交復調を行なう直交復調部、６４は直交復調部６２から出力された信号をフーリエ変換し時間信号を周波数関数へ変換するＦＦＴ（Fast Fourier Transform ： 高速フーリエ変換）部である。搬送波は直交関係にあることを利用してＩＦＦＴ（Inverse Fast Fourier Transform ： 逆高速フーリエ変換）により変調処理が行われるため、復調はＦＦＴにより行なう。符号６６は直交復調部６２およびＦＦＴ部６４と接続され、復調用の搬送波を生成しシンボル同期の処理を行なう搬送波・シンボル同期再生部である。ＦＦＴ部６４の出力は差動復調部６８で搬送波の変調方式を判別されて復調される。
【００２７】
符号７０は、差動復調部６８から出力された信号に対し、周波数インターリーブおよび時間インターリーブを元に戻す周波数・時間時間デインターリーブ部である。周波数インターリーブと時間インターリーブとは、各々電波の反射等への対処、フェージングへの対処のために行なわれている。周波数・時間時間デインターリーブ部７０から出力された信号は、デマッピング部７２において搬送波の変調方式に応じたビット数の信号へ変換される。デマッピング部７２から出力された信号は、ビットデインターリーブ部７４でビットインターリーブが戻される。ビットインターリーブは誤り率特性を上げるために行なわれている。ビットデインターリーブ部７４から出力された信号はビタビ復号部７６で畳込み符号を用いた誤り訂正が行なわれる。続いてバイトデインターリーブ部７８でバイトインターリーブが戻される。バイトインターリーブはビットインターリーブと同様に、誤り率特性を上げるために行なわれている。バイトデインターリーブ部７８から出力された信号は、ＲＳ（Reed-Solomon : リードソロモン）復号部８０でＲＳ復号される。畳込み符号化およびＲＳ符号化は誤り訂正のために行なわれている。ＲＳ復号部８０から出力された信号はＭＰＥＧ−ＴＳ再生部８２に入力され、トランスポートストリームＴＳが再生される。地上波ディジタル放送では、３つの階層を構成することにより３種類の異なるトランスポートストリームＴＳを同時に伝送している。トランスポートストリームＴＳはＭＰＥＧ２デコーダ３６へ出力される。
【００２８】
次に、アナログテレビジョン放送用復調処理部９０について説明する。図６は、本発明の実施例１におけるアナログテレビジョン放送用復調処理部９０を示すブロック図である。図６において、符号９５ａおよび９５ｂは、入力されたディジタル信号に対してＡＭ（Amplitude Modulation : 振幅変調）復調を行なうＡＭ検波部、１００ａおよび１００ｂは入力されたディジタル信号に対してＦＭ（frequency Modulation : 周波数変調）復調を行なうＦＭ検波部である。各々、検波は搬送波を再生して復調を行なう同期検波により行なうことができる。あるいは直交検波等の他の任意の検波により行なってもよい。図６に示されるように、Ａ／Ｄ変換部１８から出力された映像中間周波信号（Ｓｄ）はＡＭ検波部９５ａで映像検波処理がなされてカラー映像信号（ＮＴＳＣ：National Television System Committee方式の信号）が取り出される。取出された信号はＤ／Ａ変換部３８へ送られる。Ａ／Ｄ変換部１８から出力された音声中間周波信号（Ｓｄ）はＦＭ検波部１００ａで１回目のＦＭ検波処理が行なわれ、コンポジット音声信号がＦＭ検波部１００ｂ（２回目のＦＭ検波処理）とＡＭ検波部９５ｂとへ送られる。ＡＭ検波部９５ｂの検波処理結果はさらに周波数判別部１０８へ送られる。ＦＭ検波部１００ｂの処理結果と周波数判別部１０８の処理結果とは音声出力制御部１０６へ送られて、ステレオ音声信号（左右）を得ることができる。モノラル放送の場合、ＦＭ検波部１００ａの処理結果はそのまま音声出力制御部１０６へ送られて左右共同じ信号を得ることができる。音声出力制御部１０６で得られた信号はＤ／Ａ変換部３８へ送られる。
【００２９】
図７は、本発明の実施例１における共用復調処理プログラムまたは方法の流れをフローチャートで示す。共用復調処理プログラムは、図２で示された共用復調器３０のコンピュータを動作させるプログラムである。図７に示されるように、まず、共用復調器３０のコンピュータはＡ／Ｄ変換部１８からディジタル信号Ｓｄを入力する（ステップＳ１０）。上述のように、Ａ／Ｄ変換部１８は受信したテレビジョン信号の中からチューナ部１２を介して取出された受信チャンネルの信号Ｓｃｈをディジタル信号Ｓｄへ変換するものである。次に、放送種別検出部２０からテレビジョン信号がディジタルテレビジョン放送の信号であるか又はアナログテレビジョン放送の信号であるかを検出した結果Ｓｔを入力する（ステップＳ１２）。上述のように、放送種別検出部２０は受信チャンネルの切換時にチューナ部１２から入力した受信チャンネルの信号に基づき、放送の種別を検出する。検出した結果Ｓｔによりディジタルテレビジョン放送の信号であるか又はアナログテレビジョン放送の信号であるかを判断する（ステップＳ１４）。ステップＳ１４での判断の結果に応じて、ディジタルテレビジョン放送用の復調処理（ステップＳ１６）又はアナログテレビジョン放送用の復調処理（ステップＳ１８）を行って、終了する。
【００３０】
以上より、本発明の実施例１によれば、アナログテレビジョン放送とディジタルテレビジョン放送との両方を受信することができる受信機１０の共用復調器３０において、受信したテレビジョン信号の中からチューナ部１２を介して取出された受信チャンネルの信号Ｓｃｈをディジタル信号Ｓｄへ変換するＡ／Ｄ変換部１８と、チューナ部１２と接続され、受信チャンネルの切換時にチューナ部１２から入力した受信チャンネルの信号Ｓｃｈに基づき、テレビジョン信号がディジタルテレビジョン放送の信号であるか又はアナログテレビジョン放送の信号であるかを検出する（検出結果Ｓｔ）放送種別検出部２０とを設けておく。ディジタル信号Ｓｄに、検出結果Ｓｔに応じてディジタルテレビジョン放送用の復調処理６０又はアナログテレビジョン放送用の復調処理９０を行う共用復調処理プログラムを共用復調器３０のコンピュータに実行させる。この結果、単一の処理部である共用復調器３０を用いることにより、ディジタルテレビジョン放送の場合またはアナログテレビジョン放送の場合のいずれであっても、各々に対応した処理を行うことができる。このため、従来の復調部における全体の処理量を低減させ、復調部の小型化および製造費用の低減を実現することができる共用復調処理プログラム等を提供することができる。
【産業上の利用可能性】
【００３１】
本発明の活用例として、ソフトウェア無線機を挙げることができる。ソフトウェア無線技術を利用することにより、ディジタルテレビジョン放送用復調処理部６０とアナログテレビジョン放送用復調処理部９０とを切替えて使用することができる。
【図面の簡単な説明】
【００３２】
【図１】本発明の実施例１におけるディジタルテレビジョン放送及びアナログテレビジョン放送の復調を行なうための共用復調器３０のブロック図である。
【図２】本発明のコンピュータ・プログラム（共用復調処理プログラム）を実行する共用復調器３０のコンピュータの内部回路４０を示すブロック図である。
【図３】本発明の実施例１における放送種別検出部２０ａを示すブロック図である。
【図４】本発明の実施例１における放送種別検出部２０ｂを示すブロック図である。
【図５】本発明の実施例１におけるディジタルテレビジョン放送用復調処理部６０を示すブロック図である。
【図６】本発明の実施例１におけるアナログテレビジョン放送用復調処理部９０を示すブロック図である。
【図７】本発明の実施例１における共用復調処理プログラムまたは方法の流れを示すフローチャートである。
【図８】チューナ部を共用化した従来の受信機の受信回路１１０の一部を示す図である。
【符号の説明】
【００３３】
５  アンテナ、  １０  受信機、  １２  チューナ部、  １４  チューナ、  １6   選局制御部、  １８  Ａ／Ｄ変換部、  ２０  放送種別検出部、  ２１  ＯＦＤＭ復調部、  ２２  副搬送波信号検出部、  ２３，２６  判定部、  ２４  映像・音声搬送波検出部、  ２５  スペクトル検出部、  ３０  共用復調器、  ３５  共用復調処理部、  ３６  ＭＰＥＧ２デコーダ、  ３８  Ｄ／Ａ変換部、  ４０  内部回路、  ４１  ＣＰＵ、  ４２  ＲＯＭ、  ４３  ＲＡＭ、  ４４  コントローラ、  ４５ａ  ディスク、  ４５ｎ  ＣＤ−ＲＯＭ、  ４６  入力制御部、  ４７  入力操作部、  ４８  バス、  ６０  ディジタルテレビジョン放送用復調処理部、  ６２  直交復調部、  ６４  ＦＦＴ部、  ６６  搬送波・シンボル同期再生部、  ６８  差動復調部、  ７０  周波数・時間デインターリーブ部、  ７２  デマッピング部、  ７４  ビットデインターリーブ部、  ７６  ビタビ復号部、  ７８  バイトデインターリーブ部、  ８０  ＲＳ復号部、  ８２  ＭＰＥＧ２−ＴＳ再生部、  ９０  アナログテレビジョン放送用復調処理部、  ９５ａ，９５ｂ  ＡＭ検波部、  １００ａ，１００ｂ  ＦＭ検波部、１０６    音声出力制御部、  １０８  周波数判別部。
【図１】
2005159682.tif 000003
【図２】
2005159682.tif 000004
【図３】
2005159682.tif 000005
【図４】
2005159682.tif 000006
【図５】
2005159682.tif 000007
【図６】
2005159682.tif 000008
【図７】
2005159682.tif 000009
【図８】
2005159682.tif 000010